(57)【要約】【課題】オーディオ機器用イヤホンコードに装飾性を持たせ、特に、若い女性などが、ネックレスあるいはイヤリング代替に使用し得る装飾具およびイヤホンコードの提供。【解決手段】イヤホンコードの構成体である電線コードの外周に設けられ、電線コードの外周に装着されたとき単体または複数体で花柄、星柄、球状柄、矩形柄、柱状柄、ハート柄および螺旋状柄等の装飾模様を形成するイヤホンコード用装飾具、および電線コードの外周に単体または複数体で花柄、星柄、球状柄、矩形柄、柱状柄、ハート柄および螺旋状柄等の装飾模様を形成する装飾具が装着されているイヤホンコード。【選択図】  図１
2004180252.tif 000002
【特許請求の範囲】
【請求項１】
イヤホンコードの構成体である電線コードの外周に設けられ、電線コードの外周に装着されたとき単体または複数体で装飾模様を形成することを特徴とするイヤホンコード用装飾具。
【請求項２】
前記装飾具は、電線コードが挿通される孔を有する請求項１記載のイヤホンコード用装飾具。
【請求項３】
前記装飾模様は、花柄、星柄、球状柄、矩形柄、柱状柄、ハート柄および螺旋状柄から選ばれる少なくとも一つである請求項１記載のイヤホンコード用装飾具。
【請求項４】
前記装飾具は、金属、プラスチック、ゴム、ガラス、陶磁器、宝石および木から選ばれる少なくとも一つからなる請求項１記載のイヤホンコード用装飾具。
【請求項５】
前記装飾具は、孔を中心として複数個に分割されている請求項２記載のイヤホンコード用装飾具。
【請求項６】
電線コードの一方端にイヤホンが接続され、他方端にプラグが接続されているイヤホンコードにおいて、電線コードには単体または複数体で装飾模様を形成する装飾具が装着されていることを特徴とするイヤホンコード。
【請求項７】
前記装飾模様は、花柄、星柄、球状柄、矩形柄、柱状柄、ハート柄および螺旋状柄から選ばれる少なくとも一つである請求項６記載のイヤホンコード。
【請求項８】
前記装飾具は、金属、プラスチック、ゴム、ガラス、陶磁器、宝石および木から選ばれる少なくとも一つからなる請求項６記載のイヤホンコード。
【請求項９】
前記装飾具は、磁性を帯びた材料からなる請求項６記載のイヤホンコード。
【発明の詳細な説明】
【０００１】
【発明の属する技術分野】
本発明は、ポータブルオーディオ機器等のイヤホンコードに美観やファッション性を付与するイヤホンコード用装飾具、およびこのような装飾具を装着したイヤホンコードに関するものである。
【０００２】
【従来の技術】
一般的に、オーディオ機器用イヤホンコードは、単なる電線コードとしての外観を呈する程度、あるいは、ある程度見栄えを良くするために、柔らかい感じの外観を付与した程度であり、老若男女向け、全てに亘り同一仕様、すなわち、黒色系統に統一されている状況である。
【０００３】
【発明が解決しようとする課題】
このように、これらイヤホンコードは、機能上、首周りに使用されるのにも拘らず、装飾性は全く配慮されていない。例えば、若い女性向きでも、オーディオ機器自身はある程度色合いで工夫されているが、一番目立つところの、耳からオーディオ機器を結ぶイヤホンコードは黒色系統の電線コードの外観そのものであり、特別な装飾性はない。特に、若い女性向けに美的な、ファッション性に優れた製品は見当たらないのが現状である。
【０００４】
本発明は、上記に基づいたものであり、イヤホンコードに装飾性を持たせることができるイヤホンコード用装飾具およびイヤホンコードの提供を目的とする。
【０００５】
【課題を解決するための手段】
上記目的を達成するため、本発明は、イヤホンコードの構成体である電線コードの外周に設けられ、イヤホンコードの外周に装着されたとき単体または複数体で装飾模様を形成するイヤホンコード用装飾具を提供する。
【０００６】
また、本発明は、単体または複数体で装飾模様を形成する装飾具が装着されているイヤホンコードを提供する。
【０００７】
【発明の実施の形態】
本発明において、装飾具の装飾模様としては、花柄、星柄、球状柄、矩形柄、柱状柄、ハート柄および螺旋状柄等がオーディオを楽しむ時の模様として適しており、このような装飾模様のイアヤホンコードは、若い女性などがオーディオを楽しむ時に、イヤリングやネックレス等の装飾具の代わりにもなりうる。
【０００８】
装飾具の材質としては、金属、プラスチック、ゴム、ガラス、陶磁器、宝石および木のいずれであってもよく、各種材料自身の生地により装飾性を付与することができ、各種材料にメッキや絵画などのカラーリングを施すことによっても装飾性を向上できる。また、磁性を帯びた材料で装飾具を形成すると、血行の促進をはかることができ、肩こり防止等に効果的である。
【０００９】
本発明の装飾具は、ある程度の長さを有する長尺体の表面に装飾模様を施したものであれば、単体でもって装飾具として使用できるが、各々が花柄、星柄、球状柄、矩形柄、柱状柄およびハート柄等の形状を呈する装飾体を複数個長さ方向に連続的に配置して装飾模様を形成することができる。
【００１０】
本発明のイヤホンコードは、予め電線コードの外周に装飾具を取り付け、その後、電線コードの両端にイヤホンおよびプラグを接続して組み立てることができるが、電線コードにイヤホンおよびプラグが取り付けられた状態で市販されているイヤホンコードを購入し、これに本発明の装飾具を取り付けることも可能である。後者の場合、イヤホンコード装飾具の取り付けを容易とするため、孔を中心として複数個に分割されているイヤホンコード用装飾具を用いることが好ましい。
【００１１】
図１は、本発明に係るイヤホンコードの一実施の形態の説明図である。１はイヤホンコード、２は電線コード、３はイヤホン、４はプラグ、５は球状装飾体、６は装飾具である。電線コード２の一方端にはイヤホン３が接続され、他方端にはプラグ４が接続され、電線コード２の外周には球状装飾体５が設けられている。本実施の形態においては、球状装飾体５を電線コード２の長さ方向に複数個連続的に配置することにより、装飾具６が形成されている。電線コード２の色彩が黒色である場合は、球状装飾体５の色彩は、黒色とは異なる色、例えば、白色、黄色、灰色、赤色、青色、金色、銀色等の何れであってもよく、これらの色は単一色であってもよく、また、複数色を組み合わせてもよい。
【００１２】
図２は、球状装飾体５の拡大説明図であり、孔７が中心部に形成されており、この孔７に電線コード２が挿通される。
【００１３】
図３は、球状装飾体の他の実施の形態の説明図であり、半球体８にＵ溝９を設けたものを２個用意し、各々の半球体８の面１０同士を接着剤等で貼り合わせて一体化して球状装飾体とするものである。半球体８の一体化は、一方の半球体８の面１０に凸部を、他方の半球体８の面１０に凹部を形成し、これら凹凸を嵌合して行うことも可能である。このような半球体８は、電線コードにイヤホンおよびプラグが取り付けられた状態で市販されているイヤホンコードを購入し、これに装飾模様を付ける場合に便利である。
【００１４】
図４は、本発明に係るイヤホンコード装飾具の他の実施の形態の説明であり、長尺の円筒体１１の中心部に電線コードを挿通する孔１２を設けたものである。本実施の形態は、筒状体１１単体で装飾模様を形成するものであり、円筒体１１の色彩を装飾性のある色とすることにより、装飾模様が形成される。また、円筒体１１の表面にダイヤモンド模様、星模様、ハート模様等の模様を付けてもよい。
【００１５】
図５〜図１０は、本発明に係るイヤホンコード装飾具の更に他の実施の形態をそれぞれ示したものであり、装飾模様のみを図示したものである。図５は２種類の異なる大きさの球状体１３、１４を交互に配置した球状柄の例、図６は星型立体１５を配置した星柄の例、図７はハート型立体１６を配置したハート柄の例、図８は矩形立体１７を配置した矩形柄の例、図９は柱状立体１８を配置した柱状柄の例、図１０は細かい球状体１９を配置した例、図１１は螺旋状柄の例である。
【００１６】
【発明の効果】
以上説明してきたように、本発明はイヤホンコードに装飾性を持たせることができるアクセサリー品であり、若い女性などがオーディオを楽しむ時に、イヤリング、ネックレスの代わりにもなりうる装飾器具を提供できる。
【図面の簡単な説明】
【図１】本発明に係るイヤホンコードの一実施の形態の説明図。
【図２】本発明において使用される球状装飾体の一実施の形態の説明図。
【図３】本発明において使用される球状装飾体の他の実施の形態の説明図。
【図４】本発明に係るイヤホンコードの他の実施の形態の説明図。
【図５】本発明に係るイヤホンコードの他の実施の形態の説明図。
【図６】本発明に係るイヤホンコードの他の実施の形態の説明図。
【図７】本発明に係るイヤホンコードの他の実施の形態の説明図。
【図８】本発明に係るイヤホンコードの他の実施の形態の説明図。
【図９】本発明に係るイヤホンコードの他の実施の形態の説明図。
【図１０】本発明に係るイヤホンコードの他の実施の形態の説明図。
【図１１】本発明に係るイヤホンコードの他の実施の形態の説明図。
【符号の説明】
１：イヤホンコード
２：電線コード
３：イヤホン
４：プラグ
５：球状装飾体
６：装飾具
７、１２：孔
８：半球体
９：溝
１０：面
１１：円筒体
【図１】
2004180252.tif 000003
【図２】
2004180252.tif 000004
【図３】
2004180252.tif 000005
【図４】
2004180252.tif 000006
【図５】
2004180252.tif 000007
【図６】
2004180252.tif 000008
【図７】
2004180252.tif 000009
【図８】
2004180252.tif 000010
【図９】
2004180252.tif 000011
【図１０】
2004180252.tif 000012
【図１１】
2004180252.tif 000013